【手続補正書】
【提出日】平成22年5月27日(2010.5.27)
【手続補正１】
【補正対象書類名】特許請求の範囲
【補正対象項目名】全文
【補正方法】変更
【補正の内容】
【特許請求の範囲】
【請求項１】
ストロボと、
動画を撮影する動画撮影手段と、
前記動画撮影手段により撮影される動画を動画ファイルとして作成するファイル作成手段と、
前記動画撮影手段による動画撮影中に前記ストロボが発光した際に、前記動画ファイルに含まれるストロボ発光されたフレームと発光情報とを対応付けするストロボ発光情報対応付け手段と、
前記ファイル作成手段により作成された動画ファイルの中から前記発光情報が対応付けされたフレームを抽出する抽出手段とを備えることを特徴とする画像撮像装置。
【請求項２】
前記動画撮影手段の露出を変更する露出変更手段と、
前記露出変更手段により露出が変更されている露出変更期間において、当該露出変更期間に対応するフレームと、露出が変更中であることを示す露出変更中情報とを対応付けする露出変更中情報対応付け手段とをさらに備え、
前記抽出手段は、前記動画ファイルの中から前記露出変更中情報が対応付けされたフレームを抽出することを特徴とする請求項１記載の画像撮像装置。
【請求項３】
前記露出変更中情報は、前記ストロボの発光前の前記露出変更期間に対応する情報と、前記ストロボの発光後の前記露出変更期間に対応する情報とを含むことを特徴とする請求項２記載の画像撮像装置。
【請求項４】
前記抽出手段は、前記ストロボの発光前の前記露出変更期間に対応する情報と前記ストロボの発光後の前記露出変更期間に対応する情報とに基づいて、前記ストロボの発光前の前記露出変更期間に対応するフレームと、前記ストロボの発光後の前記露出変更期間に対応するフレームとを抽出することを特徴とする請求項３記載の画像撮像装置。
【請求項５】
前記動画ファイルを再生する際に、前記発光情報が対応付けされたフレームをその前又は後の前記発光情報が対応付けされていないフレームで置換する／しないを選択する選択手段を備えることを特徴とする請求項１乃至４のいずれか１項に記載の画像撮像装置。
【請求項６】
前記ストロボ発光情報対応付け手段は、前記動画ファイルに含まれる前記ストロボ発光されたフレームのヘッダに前記発光情報を書き込む発光情報書込手段を備えることを特徴とする請求項１乃至５のいずれか１項に記載の画像撮像装置。
【請求項７】
前記ストロボ発光情報対応付け手段は、前記ファイル作成手段により作成される動画ファイル自体のヘッダに、前記ストロボ発光されたフレームと対応づけられる前記発光情報を書き込む発光情報書込手段を備えることを特徴とする請求項１乃至５のいずれか１項に記載の画像撮像装置。
【請求項８】
ストロボと、
動画を撮影する動画撮影手段と、
前記動画撮影手段により撮影される動画を動画ファイルとして作成するファイル作成手段と、
前記動画撮影手段による動画撮影中に前記ストロボが発光した際に、前記動画ファイルに含まれるストロボ発光されたフレームと発光情報とを対応付けするストロボ発光情報対応付け手段と、
前記動画撮影手段の露出を変更する露出変更手段と、
前記露出変更手段により露出が変更されている露出変更期間において、当該露出変更期間に対応するフレームと、露出が変更中であることを示す露出変更中情報とを対応付けする露出変更中情報対応付け手段とを備えることを特徴とする画像撮像装置。
【請求項９】
ストロボと、動画を撮影する動画撮影手段とを備える画像撮像装置の制御方法であって、
前記動画撮影手段により撮影される動画を動画ファイルとして作成するファイル作成工程と、
前記動画撮影手段による動画撮影中に前記ストロボが発光した際に、前記動画ファイルに含まれるストロボ発光されたフレームと発光情報とを対応付けするストロボ発光情報対応付け工程と、
前記動画ファイルの中から前記発光情報が対応付けされたフレームを抽出する抽出工程とを備えることを特徴とする画像撮像装置の制御方法。
【請求項１０】
ストロボと、動画を撮影する動画撮影手段と、前記動画撮影手段の露出を変更する露出変更手段とを備える画像撮像装置の制御方法であって、
前記動画撮影手段により撮影される動画を動画ファイルとして作成するファイル作成工程と、
前記動画撮影手段による動画撮影中に前記露出変更手段により露出が変更された場合に、露出変更期間に対応するフレームと、露出が変更中であることを示す露出変更中情報とを対応付けする露出変更中情報対応付け工程と、
前記動画撮影手段による動画撮影中に前記ストロボが発光した際に、前記動画ファイルに含まれるストロボ発光されたフレームと発光情報とを対応付けするストロボ発光情報対応付け工程とを備えることを特徴とする画像撮像装置の制御方法。
【請求項１１】
ストロボと、動画を撮影する動画撮影手段とを備える画像撮像装置が有するコンピュータで実行される制御プログラムであって、
前記コンピュータを、
前記動画撮影手段により撮影される動画を動画ファイルとして作成するファイル作成手段と、
前記動画撮影手段による動画撮影中に前記ストロボが発光した際に、前記動画ファイルに含まれるストロボ発光されたフレームと発光情報とを対応付けするストロボ発光情報対応付け手段と、
前記動画ファイルの中から前記発光情報が対応付けされたフレームを抽出する抽出手段として機能させることを特徴とする制御プログラム。
【請求項１２】
ストロボと、動画を撮影する動画撮影手段と、前記動画撮影手段の露出を変更する露出変更手段とを備える画像撮像装置が有するコンピュータで実行される制御プログラムであって、
前記コンピュータを、
前記動画撮影手段により撮影される動画を動画ファイルとして作成するファイル作成手段と、
前記動画撮影手段による動画撮影中に前記露出変更手段により露出が変更された場合に、露出変更期間に対応するフレームと、露出が変更中であることを示す露出変更中情報とを対応付けする露出変更中情報対応付け手段と、
前記動画撮影手段による動画撮影中に前記ストロボが発光した際に、前記動画ファイルに含まれるストロボ発光されたフレームと発光情報とを対応付けするストロボ発光情報対応付け手段として機能させることを特徴とする制御プログラム。
【手続補正２】
【補正対象書類名】明細書
【補正対象項目名】０００６
【補正方法】変更
【補正の内容】
【０００６】
上記目的を達成するために、請求項１の画像撮像装置は、ストロボと、動画を撮影する動画撮影手段と、前記動画撮影手段により撮影される動画を動画ファイルとして作成するファイル作成手段と、前記動画撮影手段による動画撮影中に前記ストロボが発光した際に、前記動画ファイルに含まれるストロボ発光されたフレームと発光情報とを対応付けするストロボ発光情報対応付け手段と、前記ファイル作成手段により作成された動画ファイルの中から前記発光情報が対応付けされたフレームを抽出する抽出手段とを備えることを特徴とする。
【手続補正３】
【補正対象書類名】明細書
【補正対象項目名】０００７
【補正方法】変更
【補正の内容】
【０００７】
請求項８の画像撮像装置は、ストロボと、動画を撮影する動画撮影手段と、前記動画撮影手段により撮影される動画を動画ファイルとして作成するファイル作成手段と、前記動画撮影手段による動画撮影中に前記ストロボが発光した際に、前記動画ファイルに含まれるストロボ発光されたフレームと発光情報とを対応付けするストロボ発光情報対応付け手段と、前記動画撮影手段の露出を変更する露出変更手段と、前記露出変更手段により露出が変更されている露出変更期間において、当該露出変更期間に対応するフレームと、露出が変更中であることを示す露出変更中情報とを対応付けする露出変更中情報対応付け手段とを備えることを特徴とする。
【手続補正４】
【補正対象書類名】明細書
【補正対象項目名】０００８
【補正方法】変更
【補正の内容】
【０００８】
請求項９の画像撮像装置の制御方法は、ストロボと、動画を撮影する動画撮影手段とを備える画像撮像装置の制御方法であって、前記動画撮影手段により撮影される動画を動画ファイルとして作成するファイル作成工程と、前記動画撮影手段による動画撮影中に前記ストロボが発光した際に、前記動画ファイルに含まれるストロボ発光されたフレームと発光情報とを対応付けするストロボ発光情報対応付け工程と、前記動画ファイルの中から前記発光情報が対応付けされたフレームを抽出する抽出工程とを備えることを特徴とする。
【手続補正５】
【補正対象書類名】明細書
【補正対象項目名】０００９
【補正方法】変更
【補正の内容】
【０００９】
請求項１０の画像撮像装置の制御方法は、ストロボと、動画を撮影する動画撮影手段と、前記動画撮影手段の露出を変更する露出変更手段とを備える画像撮像装置の制御方法であって、前記動画撮影手段により撮影される動画を動画ファイルとして作成するファイル作成工程と、前記動画撮影手段による動画撮影中に前記露出変更手段により露出が変更された場合に、露出変更期間に対応するフレームと、露出が変更中であることを示す露出変更中情報とを対応付けする露出変更中情報対応付け工程と、前記動画撮影手段による動画撮影中に前記ストロボが発光した際に、前記動画ファイルに含まれるストロボ発光されたフレームと発光情報とを対応付けするストロボ発光情報対応付け工程とを備えることを特徴とする。
【手続補正６】
【補正対象書類名】明細書
【補正対象項目名】００１０
【補正方法】変更
【補正の内容】
【００１０】
請求項１１の制御プログラムは、ストロボと、動画を撮影する動画撮影手段とを備える画像撮像装置が有するコンピュータで実行される制御プログラムであって、前記コンピュータを、前記動画撮影手段により撮影される動画を動画ファイルとして作成するファイル作成手段と、前記動画撮影手段による動画撮影中に前記ストロボが発光した際に、前記動画ファイルに含まれるストロボ発光されたフレームと発光情報とを対応付けするストロボ発光情報対応付け手段と、前記動画ファイルの中から前記発光情報が対応付けされたフレームを抽出する抽出手段として機能させることを特徴とする。
【手続補正７】
【補正対象書類名】明細書
【補正対象項目名】００１１
【補正方法】変更
【補正の内容】
【００１１】
請求項１２の制御プログラムは、ストロボと、動画を撮影する動画撮影手段と、前記動画撮影手段の露出を変更する露出変更手段とを備える画像撮像装置が有するコンピュータで実行される制御プログラムであって、前記コンピュータを、前記動画撮影手段により撮影される動画を動画ファイルとして作成するファイル作成手段と、前記動画撮影手段による動画撮影中に前記露出変更手段により露出が変更された場合に、露出変更期間に対応するフレームと、露出が変更中であることを示す露出変更中情報とを対応付けする露出変更中情報対応付け手段と、前記動画撮影手段による動画撮影中に前記ストロボが発光した際に、前記動画ファイルに含まれるストロボ発光されたフレームと発光情報とを対応付けするストロボ発光情報対応付け手段として機能させることを特徴とする制御プログラム。
【手続補正８】
【補正対象書類名】明細書
【補正対象項目名】００７４
【補正方法】変更
【補正の内容】
【００７４】
図２で記録された動画ファイルをそのまま再生すると、ストロボ発光時にはストロボ発光用の露出や、ストロボ発光自体がそのまま記録されているために、閲覧するユーザにとっては見づらい動画となっている。そのため、システム制御回路５０は、動画再生中に露出変更フラグとストロボ発光フラグを監視しておき、該当フレームを再生する場合には、その前又はその後のフレームを代わりに再生する。これにより、露出が不自然ではない動画を鑑賞することが可能である。もちろん、保存された動画そのままを再生してもよく、ストロボ発光時のフレームをその前又はその後のフレームで置換する／しないを選択可能な選択手段を備えるようにしてもよい。この場合、選択手段は操作部７０で構成する。